(57)【要約】【課題】平板状の導光体とＬＥＤを用いて、薄型、省電力、軽量、且つ安価な面発色装置を提供することを目的とする。【解決手段】表面、裏面及び端面を有する導光体（１０）と、導光体の表面又は裏面に設けられた溝部（１１）と、導光体の前記端面から光を入射する光源（３０、４０）と、導光体の前記端面から入射された光を導光体の前記溝部から出光させるために、溝部内に設けられた光偏向手段（Ｒ）を有することを特徴とする面発色装置（１）。【選択図】図６
2009048939.tif 000002
【特許請求の範囲】
【請求項１】
面発色装置であって、
表面、裏面及び端面を有する導光体と、
前記導光体の表面又は裏面に設けられた溝部と、
前記導光体の前記端面から光を入射する光源と、
前記導光体の前記端面から入射された光を、前記導光体の前記溝部から出光させるために、前記溝部内に設けられた光偏向手段と、
を有することを特徴とする面発色装置。
【請求項２】
前記溝部は、前記導光体の表面及び裏面にそれぞれ配置され、前記導光体の表面に配置された前記溝部と前記導光体の裏面に配置された前記溝部とが、互いに略平行に配置されている、請求項１に記載の面発色装置。
【請求項３】
前記溝部は、前記導光体の表面及び裏面にそれぞれ配置され、前記導光体の表面に配置された前記溝部と前記導光体の裏面に配置された前記溝部とが、互いに角度をもって重なり合うように配置されている、請求項１に記載の面発色装置。
【請求項４】
前記表面及び前記裏面は、平面、曲面又は凹凸面から構成されている、請求項１〜３の何れか一項に記載の面発色装置。
【請求項５】
前記表面及び前記裏面は、互いに平行に配置されている、請求項４に記載の面発色装置。
【請求項６】
前記溝部は、略コの字状の断面、略Ｖの字状の断面又は略Ｕの字状の断面を有する、請求項１〜５の何れか一項に記載の面発色装置。
【発明の詳細な説明】
【技術分野】
【０００１】
本発明は、面発色装置に関し、特に平板状の導光体を用いた面発色装置に関する。
【背景技術】
【０００２】
美しく繊細な単色の表現力は配色の美学にも及んでおり、過去にさかのぼると、季節のうつろいを衣服で表現した「襲の色目」という欧米の配色論とは違う「日本独自の色とすばらしい配色」がある。
【０００３】
かさねの色目つまり、着物の表と裏や、重ね着にあらわれる色の組み合わせで、調和美がえられる（金子隆芳「色彩の心理学」著書の中）。色彩調和に関する情緒価値については、D.B.juddアメリカの色彩学者  ジャッドは1955年ISCCのニューズレターに発表した論文で、「色彩調和は好き嫌いの問題であり、情緒反応は人によって異なり、また同一人でもときによって異なる。われわれは古い配合にあきて、どんな変化も好ましく思う事がよくある。また一方、もともと無関心であった色の配合を、たびたび見ているうちに、好ましく思う事もある。」としながら、先人たちの研究を次の４つの要素にまとめている。
１．秩序（秩序性）の原理  規則的に選ばれた色は調和する
２．なじみ（親近性）の原理  日常の自然の中で慣れ親しんだ色合は調和的であり、それに逆らいすぎないこと
３．類似性（共通性）の原理  どんな色も、共通性があれば調和する
４．明瞭性の原理  色同士に適度な対比があること
つまり、日本における重要な配色をあらわしているのは、２、の「なじみの原理」と３の「類似性の原理」といえる。
【０００４】
また、O.N.Rood1879「現代色彩学」アメリカの自然学者  ルードの色彩調和論にも自然の観察の中から導きだされた「自然の色の見えの効果」の原理があり、「自然光のもとで観察した色の見え方には一定の法則がある。樹木の葉や草の葉は日光の当たっている部分は明るく黄みの緑に、陰では暗く青みの緑に見える。赤い花弁の日光の当たっている部分は明るく黄みの赤に、陰の部分は暗く青み（紫み）に見える」この考え方は現在の色彩調和論にとって重要な原理のひとつとされている。
【０００５】
一方、液晶ディスプレイ等のバックライトに用いられる面発色装置では、ネオン管等の線状光源からの光を平板状の導光板を用いて拡散させることによって面発光照明を実現している（例えば、特許文献１）。
【０００６】
また、比較的安価なＬＥＤを基板上に等間隔で複数配置し、看板等を裏側から直接照明するための面発光照明装置として利用しようとすることも知られている。
【０００７】
【特許文献１】特開平１１−２３７６２９号公報
【発明の開示】
【発明が解決しようとする課題】
【０００８】
しかしながら、平板状の導光体を用いて、ディスプレイや建物内の壁面の装飾に用いるための面発色装置を構成しようとすることは知られていなかった。
【０００９】
そこで、本発明は、平板状の導光体を用いた面発色装置を提供することを目的とする。
【００１０】
さらに、本発明は、繧繝彩色での白地の上に同色色相で、淡い色、やや濃い色、濃い色と段階的な配列や、ぼかしの効果の彩色法での配色技法で色相だけでなく、トーン（明度・彩度）の共通性も含まれており、曖昧で微妙な日本の情緒的な季節感等を色で表現できる面発色可能な装置を提供することを目的とする。
【００１１】
さらに、本発明は、平板状の導光体とＬＥＤを用いて、淡く、やさしい、エコロジックな色を発色させる面発色装置を提供することを目的とする。また、本発明は、平板状の導光体とＬＥＤを用いて、薄型、省電力、軽量、且つ安価な面発色装置を提供することを目的とする。
【課題を解決するための手段】
【００１２】
上記課題を解決するために、本発明に係る面発色装置は、表面、裏面及び端面を有する導光体と、導光体の表面又は裏面に設けられた溝部と、導光体の前記端面から光を入射する光源と、導光体の前記端面から入射された光を導光体の前記溝部から出光させるために溝部内に設けられた光偏向手段を有することを特徴とする。
【００１３】
また、本発明に係る面発色装置では、溝部は、導光体の表面及び裏面にそれぞれ配置され、導光体の表面に配置された溝部と導光体の裏面に配置された溝部とが、互いに略平行に配置されていることが好ましい。
【００１４】
さらに、本発明に係る面発色装置では、溝部は、導光体の表面及び裏面にそれぞれ配置され、導光体の表面に配置された溝部と前記導光体の裏面に配置された溝部とが、互いに角度をもって重なり合うように配置されていることが好ましい。
【００１５】
さらに、本発明に係る面発色装置では、前記表面及び前記裏面は、平面、曲面又は凹凸面から構成されていることが好ましい。
【００１６】
さらに、本発明に係る面発色装置では、溝部は、略コの字状の断面、略Ｖの字状の断面又は略Ｕの字状の断面を有することが好ましい。
【発明の効果】
【００１７】
本発明によれば、平板状の導光体から面発色を行うので、薄型、省電力、軽量、且つ安価な面発色装置を提供することが可能となった。
【００１８】
また、本発明によれば、光偏向手段としての粗面化処理された導光体表面から光を発色させるので、人に働きかけて心地よさという心理的効果を与えるような情緒価値を有する面発色装置を提供することや、淡く、やさしい、エコロジックな色を発色させることが可能となった。
【００１９】
さらに、本発明において導光体の片面側にのみ光偏向手段が存在する場合には、導光体の表面と裏面で、発光する部分が微妙にことなるので、表面と裏面で違った柄を楽しむことが可能となった。即ち、表面側（溝が形成されている側）から観測すれば、導光体の表面の溝部に設けられた光偏向手段の部分が発光するが、裏面側から観測すれば、光偏向手段の部分が暗く見え、他の部分が発光して見える。
【００２０】
また、本発明において導光体の両面に光偏向手段が存在する場合には、例えば、表面側では、表面側の光偏向手段と光偏向手段の間の部分から裏面の光偏向手段が存在しない部分の発光が垣間見えることとなる。さらに、光偏向手段を有する溝部が、表面側と裏面側とで相互に角度をもって重なり合うように配置される場合には、格子柄状の発光を行うことが可能となる。
【発明を実施するための最良の形態】
【００２１】
以下、本発明に係る面発色装置を、図面を参照しながら説明する。但し、本発明は以下の説明に限定されず、特許請求の範囲に記載された発明とその均等物に及ぶ点に留意されたい。
【００２２】
図１は、本発明に係る面発色装置を壁掛けパネルとして構成したパネル型両面発色装置１の表面側から見た正面図である。また、図２は、図１におけるＡＡ´断面図である。本実施形態では、パネル型両面発色装置１を５００×５００ｍｍに設定した。しかしながら、パネル型両面発色装置１のサイズはこれに限定されることなく、様々なサイズに形成することができる。
【００２３】
図１及び２に示すように、パネル型両面発色装置１は、導光体１０、枠体２０、第１のＬＥＤ光源部３０、第２のＬＥＤ光源部４０等から構成されている。図１に示すように、第１及び第２のＬＥＤ光源部３０及び４０は、導光体１０を図１における図中の上下から挟むように配置され、枠体２０内に固定されている。
【００２４】
なお、導光体１０の表面側（矢印Ｃ方向に光を出射する側）及び裏面側（矢印Ｄ方向に光を出射する側）に透光性を有する保護プレートを配置しても良い。また、導光体１０の表面及び裏面からの光を制御するために、導光体１０の表面側及び裏面側に、拡散シートやプリズムシートを配置するようにしても良い。
【００２５】
さらに、図１及び２に示すように、パネル型両面発色装置１は、両面から発光するように構成したが、一方の面側からのみ発光させるように構成しても良い。
【００２６】
図３は、第１のＬＥＤ光源部３０の概略を示した図である。
【００２７】
第１のＬＥＤ光源部３０は、複数のＬＥＤ３１、回路基板３２、リフレクター部３３及び電子部品３４（図２参照）等から構成される。回路基板３２上には、複数のＬＥＤ３１が等間隔で配置され、各ＬＥＤはリフレクター部３３で個々に覆われている。リフレクター部３３の内部には、アルミ蒸着がなされており、ＬＥＤ３１からの光を効率よく導光体１０へ伝達する機能を有している。なお、リフレクター部３３の内部は鏡面仕上げがなされていたり、白色の塗料が塗布されたりしていても良い。
【００２８】
各ＬＥＤ３１は、Ｒ色ＬＥＤ素子３５、Ｇ色ＬＥＤ素子３６及びＢ色ＬＥＤ素子３７が一つにパッケージされたタイプのＬＥＤであって、多彩な発光を行うことができる。各ＬＥＤ３１は、制御部３８により任意の色とタイミングで発色が可能である。なお、各ＬＥＤ３１は、Ｒ色の単色ＬＥＤ、Ｇ色の単色ＬＥＤ、Ｂ色の単色ＬＥＤ又はＷ（ホワイト）色の単色ＬＥＤであっても良い。また、これに用いるＬＥＤとしては、上述のチップ型のほか、オーバル型や砲弾型の各種のＬＥＤを使用することができる。
【００２９】
なお、第２のＬＥＤ光源部４０の構成も、前述した第１のＬＥＤ光源部３０と同様であるので、ここではその説明を省略する。また、図１及び図２の例では、導光体１０の上下に第１及び第２のＬＥＤ光源部３０及び４０を配置したが、光量が十分な場合には、一方側にのみＬＥＤ光源部を配置することもできる。
【００３０】
図４は、導光体１０の一例を示す図である。
【００３１】
導光体１０は、平板状のポリカーボネイト樹脂（以下、ＰＣ樹脂と言う）で構成されている。しかしながら、導光体１０は、ＰＭＭＡ樹脂、ＭＳ樹脂、ＰＥＴ等のポリエステル樹脂、ＰＳｔ樹脂、ＣＯＰ樹脂、ＣＯＣ樹脂、ＰＰ樹脂やＰＥ樹脂等のオレフィン樹脂、ＰＶＣ樹脂、アイオノマー樹脂、ガラス等によって構成しても良い。
【００３２】
導光体１０の横幅は４５０ｍｍ、縦幅（ａ）は４５０ｍｍ、板厚み（ｂ）は１０ｍｍとした。導光体１０の横幅及び縦幅は上記に限定されるものではなく、自由に設定することができる。また、板厚み（ｂ）は１０ｍｍ以下が好ましい。１０ｍｍよりも薄いと経済性、軽量性の点で優れるからである。
【００３３】
また、導光体１０は、第１のＬＥＤ光源部３０に対向する第１端面１０ａ、第２のＬＥＤ光源部４０に対向する第２端面１０ｂ、後述する各溝部１１間に配置された表面１０ｃ、溝部の無い平面である裏面１０ｄ等を有している。
【００３４】
導光体１０の表面側には、断面が略コの字型をした溝部１１が複数、図中の縦方向に沿って設けられている。溝部１１のピッチ（ｄ）は１０ｍｍ、溝部１１の幅（ｅ）は３ｍｍ、溝部の深さ（ｆ）は５ｍｍに設定した。しかしながら、前記溝部１１のピッチ（ｄ）、幅（ｅ）及び深さ（ｆ）は一例であって、これに限定されるものではない。また、溝部１１の幅（ｅ）は０．５〜５ｍｍの範囲が好ましい。０．５ｍｍよりも狭いと溝部の輝度が高くなりすぎ、５ｍｍよりも広いと溝の相対する壁との間での混色が起こりにくく、また陰影の部分となる平滑面の幅が相対的に狭くなって陰影が表現しにくくなるからである。さらに、溝部１１の深さ（ｆ）は、１〜８ｍｍの範囲が好ましい。１ｍｍよりも浅いと立体感がないものとなり、８ｍｍよりも大きいと溝に沿って破断しやすくなるからであり、その意味では溝底面と裏面との距離は２ｍｍ以上が好ましい。なお、溝部１１間の導光体１０の表面１０ｃの幅（ｇ）は、溝部１１の幅（ｅ）の３〜８倍に設定されることが好ましい。１０ｃの幅が狭すぎると発色部が多くなり、陰影が演出できず、逆に広すぎると発色部が少なくなり、光の演出が十分ではなくなるからである。
【００３５】
各溝部１１は、第１発色面１１ａ、第２発色面１１ｂ及び第３発色面１１ｃを有している。第１発色面１１ａ、第２発色面１１ｂ及び第３発色面１１ｃには、第１端面１０ａ及び／又は第２端面１０ｂから入射したＬＥＤ光源部３０及び／又はＬＥＤ光源部４０からの光を、パネル型両面発色装置１の外部へ出光させるための光偏向手段Ｒが形成されている。光偏向手段Ｒについては後述する。
【００３６】
導光体１０の表面１０ｃは、導光体１０内に進入した光が、これらの面において拡散や偏向が少なくなるように、平滑な形態にしている（平滑面）。また、第１及び第２のＬＥＤ光源部３０及び４０からの光が導光体１０に進入しやすいように、導光体１０の第１端面１０ａ及び第２端面１０ｂには、平滑化処理が施されている。
【００３７】
以下溝部１１に設けられた光偏向手段Ｒについて説明する。
【００３８】
溝部１１の第１発色面１１ａ、第２発色面１１ｂ及び第３発色面１１ｃには、粗面化処理が施されており、粗面化によって生じる微細な凹凸形状（光偏向手段Ｒ）によって、第１端面１０ａ及び１０ｂから進入した光が散乱する。第１発色面１１ａ、第２発色面１１ｂ及び第３発色面１１ｃの粗面化処理は、溝部１１を切削加工することによって行った。
【００３９】
光偏向手段Ｒとしては、Ｖ字状の溝、Ｕ字状の溝、レーザによって刻印された又は印刷されたドット形状（ドット状の微小な凹凸）、逆四角錘状の凹部を配列したものであっても良い。また、光偏向手段Ｒとしては、溶剤、プラズマ又は電子照射等によるエッチング加工により得られるランダムな凹凸、逆Ｖ字状の凸部、又は逆Ｕ字状の凸部であっても良い。
【００４０】
ところで、第１発色面１１ａ、第２発色面１１ｂ及び第３発色面１１ｃの表面全体の粗面化処理は、自動切削器(例えば、ＮＣルーター）による切削加工、ブラスト加工、研磨機材による面加工、エンボス成形加工等によって行うこともできる。
【００４１】
さらに、ブラスト加工では、高速噴射機で、導光体１０の表面に粒子を噴出して、ランダムな凹凸形状を形成して、第１発色面１１ａ、第２発色面１１ｂ及び第３発色面１１ｃとすることができる。
【００４２】
さらに、研磨機材として例えばヤスリを用い、表面を削り取るようにして導光体１０の表面の加工を行い、第１発色面１１ａ、第２発色面１１ｂ及び第３発色面１１ｃとすることができる。
【００４３】
さらに、導光体１０を押し出し成形によって製造する場合には、金型自体にランダムな凹凸形状を設けたり、成形後の冷却前に表面マット加工用のロール間を通過させたりすることによって、溝部１１と、溝部１１の第１発色面１１ａ、第２発色面１１ｂ及び第３発色面１１ｃを一緒に形成することも可能である。なお、光偏向手段Ｒを設ける面は、溝部１１の３面全てではなく、一部（例えば底面）だけに設けることもできる。また、導光体１０の溝部１１以外の面については、本実施例においては、平滑面であるが、これらの面に光偏向手段Ｒが設けられていてもよい。
【００４４】
図５は導光体１０と第１のＬＥＤ光源部３０との関係を示す斜視図であり、図６は図１におけるＢＢ´断面図である。
【００４５】
図５及び６に示すように、導光体１０は、表面側（矢印Ｃの方向に光を出射する側）に、溝部１１を向けるようにして、配置されている。特に、図６において、各導光体１０の第１発色面１１ａ、第２発色面１１ｂ及び第３発色面１１ｃを斜線で示した。第１のＬＥＤ光源部３０のリフレクター部３３の大きさは、ちょうど２つの溝部間の大きさに対応して構成されている。
【００４６】
図６において、導光体１０の側面に対応する、第１のＬＥＤ光源部３０の各ＬＥＤの位置を点線で示した。ＬＥＤ３１の位置は、図６に示す位置よりも表面側に近い位置にあってもよい。本実施形態では、２つの溝部１１間に一つのＬＥＤ３１を配置したが、これに限定されるものではなく、２つの溝部１１間に２つ以上のＬＥＤを配置するように構成しても良いし、２つの溝部１１間の１つ置きにＬＥＤ３１を配置するように構成しても良い。溝部１１の大きさによってはＬＥＤの一部が溝部１１にかかる場合もありうるが、ＬＥＤの光を導光体１０に入射させることができるものであれば、本発明の趣旨からはずれるものではない。
【００４７】
次に、図１〜図６に示す両面発色装置１における発色方法について説明する。
【００４８】
まず、第１のＬＥＤ光源部３０の各ＬＥＤ３１から出射した光は、導光体１０の第１端面１０ａから導光体１０内に進入する。同様に、第２のＬＥＤ光源部４０の各ＬＥＤ４１から出射した光は、導光体１０の第２端面１０ｂから導光体１０内に進入する。導光体１０内に入射した光は、導光体１０の表面１０ｃ及び裏面１０ｄ等の平滑面で反射しながら反対側に配置されたＬＥＤ光源部に向かって進んで行く（図２の光Ｌ1及びＬ2参照）。しかしながら、導光体１０内に入射した光は、溝部１１の第１発色面１１ａ、第２発色面１１ｂ及び／又は第３発色面１１ｃに設けられた光偏向手段に入射して、散乱する（第２発色面１１ｂで散乱する、図２の点Ｐ1及びＰ2参照）。散乱した光の内の所定量は、表面側（矢印Ｃの方向に光を出射する側）及び裏面側（矢印Ｄの方向に光を出射する側の方向）から出光される。
【００４９】
図７は、導光体１０の発色を説明するための図である。
【００５０】
図７に示すように、第１のＬＥＤ光源部３０及び第２のＬＥＤ光源部４０の全てのＬＥＤからＲ色光が出射しているものとする。前述したように、導光体１０の表面側には、第１発色面１１ａ、第２発色面１１ｂ及び第３発色面１１ｃを有する複数の溝部１１、及び表面１０ｃが設けられている。したがって、溝部１１の第１発色面１１ａ、第２発色面１１ｂ及び第３発色面１１ｃの光偏向手段Ｒからは直接光が散乱して出光してくるが、表面１０ｃ（平滑面）には光偏向手段Ｒが設けられていないことから、表面１０ｃ（平滑面）は溝部１１と比べて同系色ではあるが暗く見える。その為、表面側には明暗のストライプを発現できる。また、表面側において、複数の溝部１１が設けられていることから、見る角度によっては、明暗のストライプの幅が異なって観察されるので、立体感のある演出を行うことが可能となる。
【００５１】
逆に、裏面側から観測すれば、第１発色面１１ａ、第２発色面１１ｂ及び第３発色面１１ｃに設けられた光偏向手段Ｒの部分が影となり、他の部分が発光して見える。
【００５２】
このように、導光体１０では、導光体１０の表面側（矢印Ｃの方向に光を出射する側）から観測した場合と、裏面側（矢印Ｄの方向に光を出射する側）から観測した場合とで、発光する部分が微妙にことなるので、表面と裏面で違った柄を楽しむことが可能となった。
【００５３】
図８は他の導光体の例を示す図である。
【００５４】
図８（ａ）は導光体１００の断面図を示し、図８（ｂ）は導光体１００と第１のＬＥＤ光源部３０との関係とを示した図である。図８に示す導光体１００は、前述した導光体１０の代わりにパネル型両面発色装置１に利用することができる。
【００５５】
図８に示すように、導光体１００は、その表面側（矢印Ｃ方向に光を出射する側）に、断面が略Ｖ字状の溝部１０１が複数配置されるようにして構成されている。溝部１０１の第１発色面１０１ａ及び第２発色面１０１ｂには光偏向手段Ｒが設けられており、図中では、光偏向手段Ｒが設けられた面を斜線で示している。導光体１００に設けられた光偏向手段Ｒは、前述したパネル型両面発色装置１に設けたものと同様である。また、第１のＬＥＤ光源部３０の各ＬＥＤ３１の位置を図中に点線で示したが、より表面１００Ｃに近い所にあってもよい。
【００５６】
導光体１００は、第１のＬＥＤ光源部３０に対向する第１端面１００ａ、第２のＬＥＤ光源部４０に対向する第２端面１００ｂ、溝部１０１間に配置された複数の表面１００ｃ、溝部の無い平面である裏面１００ｄを有している。
【００５７】
第１のＬＥＤ光源部３０及び第２のＬＥＤ光源部４０から入射した光は、溝部１０１の第１発色面１０１ａ及び第２発色面１０１ｂの光偏向手段Ｒからは直接光が散乱して出光してくるが、表面１００ｃ（平滑面）には光偏向手段Ｒが設けられていないことから、表面１００ｃ（平滑面）は溝部１０１と比べて暗く見える。その為、表面側には明暗のストライプを発現できる。また、表面側において、複数の溝部１０１が設けられていることから、見る角度によっては、明暗のストライプの幅が異なって観察されるので、立体感のある演出を行うことが可能となる。逆に、裏面側（矢印Ｄの方向に光を出射する側）から観測すれば、第１発色面１０１ａ及び第２発色面１０１ｂに設けられた光偏向手段Ｒの部分が暗く見え、他の部分が発光して見える。
【００５８】
このように、導光体１００では、導光体１００の表面側（矢印Ｃの方向に光を出射する側）から観測した場合と、裏面側（矢印Ｄの方向に光を出射する側）から観測した場合とで、発光する部分が微妙に異なるので、表面と裏面で違った柄を楽しむことが可能となった。
【００５９】
図９は更に他の導光体の例を示す図である。
【００６０】
図９（ａ）は導光体１１０の断面図を示し、図９（ｂ）は導光体１１０と第１のＬＥＤ光源部３０との関係とを示した図である。図９に示す導光体１１０は、前述した導光体１０の代わりにパネル型両面発色装置１に利用することができる。
【００６１】
図９に示すように、導光体１１０は、その表面側（矢印Ｃの方向に光を出射する側）に、断面が略Ｕ字状の溝部１１１が複数配置されるようにして構成されている。溝部１１１の曲面１１１ａには光偏向手段Ｒが設けられており、図中では、光偏向手段Ｒが設けられた面を斜線で示している。導光体１１０に設けられた光偏向手段Ｒは、前述したパネル型両面発色装置１に設けたものと同様である。また、第１のＬＥＤ光源部３０の各ＬＥＤ３１の位置を図中に点線で示したが、より表面側（Ｃの方向）に近い所にあってもよい。
【００６２】
導光体１１０は、第１のＬＥＤ光源部３０に対向する第１端面１１０ａ、第２のＬＥＤ光源部４０に対向する第２端面１１０ｂ、溝部１１１間に配置された複数の表面１１０ｃ、溝部の無い平面である裏面１１０ｄを有している。
【００６３】
第１のＬＥＤ光源部３０及び第２のＬＥＤ光源部４０の全てのＬＥＤから入射した光は、溝部１１１の曲面１１１ａの光偏向手段Ｒからは直接光が散乱して出光してくるが、表面１１０ｃ（平滑面）には光偏向手段Ｒが設けられていないことから、表面１１０ｃ（平滑面）は溝部１１１と比べて暗く見える。その為、表面側には明暗のストライプを発現できる。また、表面側において、複数の溝部１１１が設けられていることから、見る角度によっては、明暗のストライプの幅が異なって観察されるので、立体感のある演出を行うことが可能となる。逆に、裏面側（矢印Ｄの方向に光を出射する側）から観測すれば、曲面１１１ａに設けられた光偏向手段Ｒの部分が暗く見え、他の部分が発光して見える。
【００６４】
このように、導光体１１０では、導光体１１０の表面側（矢印Ｃの方向に光を出射する側）から観測した場合と、裏面側（矢印Ｄの方向に光を出射する側）から観測した場合とで、発光する部分が微妙に異なるので、表面と裏面で違った柄を楽しむことが可能となった。
【００６５】
図１０は更に他の導光体の例を示す図である。
【００６６】
図１０（ａ）は導光体１２０の断面図を示し、図１０（ｂ）は導光体１２０と第１のＬＥＤ光源部３０との関係とを示した図である。図１０に示す導光体１２０は、前述した導光体１０の代わりにパネル型両面発色装置１に利用することができる。
【００６７】
図１０に示すように、導光体１２０は、その表面側（矢印Ｃの方向に光を出射する側）に、断面が略コの字状の溝部１２１が複数配置されるようにして構成されている。溝部１２１の第１発色面１２１ａ、第２発色面１２１ｂ及び第３発色面１２１ｃには光偏向手段Ｒが設けられている。また、導光体１２０は、その裏面側（矢印Ｄの方向に光を出射する側）にも、断面が略コの字状の溝部１２２が複数配置されるようにして構成されている。表面側の溝部１２１と裏面側の溝部１２２は互いに略平行となるように配置されている。
【００６８】
溝部１２２の第１発色面１２２ａ、第２発色面１２２ｂ及び第３発色面１２２ｃには光偏向手段Ｒが設けられている。なお、図中では、光偏向手段Ｒが設けられた面を斜線で示している。導光体１２０に設けられた光偏向手段Ｒは、前述したパネル型両面発色装置１に設けたものと同様である。また、第１のＬＥＤ光源部３０の各ＬＥＤ３１の位置を図中に点線で示したが、１２０Ｃ側または１２０Ｄ側のどちらかに近い位置にあってもよい。
【００６９】
導光体１２０は、第１のＬＥＤ光源部３０に対向する第１端面１２０ａ、第２のＬＥＤ光源部４０に対向する第２端面１２０ｂ、溝部１２１間に配置された複数の表面１２０ｃ、溝部１２２間に配置された複数の裏面１２０ｄを有している。
【００７０】
第１のＬＥＤ光源部３０及び第２のＬＥＤ光源部４０から入射した光は、表面側に複数設けられた溝部１２１及び裏面側に複数設けられた溝部１２２の光偏向手段Ｒからは直接光が散乱して出光してくるので明るく見えるが、表面１２０ｃ（平滑面）及び裏面１２０ｄ（平滑面）には光偏向手段Ｒが設けられていないことから、表面１２０ｃ（平滑面）及び裏面１２０ｄ（平滑面）は溝部１２１及び１２２と比べて暗く見える。その為、表面側及び裏面側には明暗のストライプを発現できる。また、表面側及び裏面側において、複数の溝部１２１及び１２２が設けられていることから、見る角度によっては、明暗のストライプの幅が異なって観察されるので、立体感のある演出を行うことが可能となる。
【００７１】
図１１は更に他の導光体の例を示す図である。
【００７２】
図１１（ａ）は導光体１３０の断面図を示し、図１１（ｂ）は導光体１３０と第１のＬＥＤ光源部３０との関係とを示した図である。図１１に示す導光体１３０は、前述した導光体１０の代わりにパネル型両面発色装置１に利用することができる。
【００７３】
図１１に示すように、導光体１３０は、その表面側（矢印Ｃの方向に光を出射する側）に、断面が略Ｖ字状の溝部１３１が複数配置されるようにして構成されている。導光体１３０は、その裏面側（矢印Ｄの方向に光を出射する側）にも、断面が略Ｖ字状の溝部１３２が複数配置されるようにして構成されている。表面側の溝部１３１と裏面側の溝部１３２は互いに略平行となるように配置されている。
【００７４】
溝部１３１の第１発色面１３１ａ及び第２発色面１３１ｂには光偏向手段Ｒが設けられている。また、溝部１３２の第１発色面１３２ａ及び第２発色面１３２ｂにも光偏向手段Ｒが設けられている。なお、図中では、光偏向手段Ｒが設けられた面を斜線で示している。導光体１３０に設けられた光偏向手段Ｒは、前述したパネル型両面発色装置１に設けたものと同様である。また、第１のＬＥＤ光源部３０の各ＬＥＤ３１の位置を図中に点線で示したが、１３０Ｃ側または１３０Ｄ側のどちらかに近い位置にあってもよい。
【００７５】
導光体１３０は、第１のＬＥＤ光源部３０に対向する第１端面１３０ａ、第２のＬＥＤ光源部４０に対向する第２端面１３０ｂ、溝部１３１間に配置された複数の表面１３０ｃ、溝部１３２間に配置された複数の裏面１３０ｄを有している。
【００７６】
第１のＬＥＤ光源部３０及び第２のＬＥＤ光源部４０から入射した光は、表面側に複数設けられた溝部１３１及び裏面側に複数設けられた溝部１３２の光偏向手段Ｒからは直接光が散乱して出光してくるので明るく見えるが、表面１３０ｃ（平滑面）及び裏面１３０ｄ（平滑面）には光偏向手段Ｒが設けられていないことから、表面１３０ｃ（平滑面）及び裏面１３０ｄ（平滑面）は溝部１３１及び１３２と比べて暗く見える。その為、表面側及び裏面側には明暗のストライプを発現できる。また、表面側及び裏面側において、複数の溝部１３１及び１３２が設けられていることから、見る角度によっては、明暗のストライプの幅が異なって観察されるので、立体感のある演出を行うことが可能となる。
【００７７】
図１２は更に他の導光体の例を示す図である。
【００７８】
図１２（ａ）は導光体１４０の断面図を示し、図１２（ｂ）は導光体１４０と第１のＬＥＤ光源部３０との関係とを示した図である。図１２に示す導光体１４０は、前述した導光体１０の代わりにパネル型両面発色装置１に利用することができる。
【００７９】
図１２に示すように、導光体１４０は、その表面側（矢印Ｃの方向に光を出射する側）に、断面が略Ｕ字状の溝部１４１が複数配置されるようにして構成されている。また、導光体１４０は、その裏面側（矢印Ｄの方向に光を出射する側）にも、断面がＵ字状の溝部１４２が複数配置されるようにして構成されている。表面側の溝部１４１と裏面側の溝部１４２は互いに略平行となるように配置されている。
【００８０】
溝部１４１の曲面１４１ａには光偏向手段Ｒが設けられている。また、溝部１４２の曲面１４２ａにも光偏向手段Ｒが設けられている。なお、図中では、光偏向手段Ｒが設けられた面を斜線で示している。導光体１４０に設けられた光偏向手段Ｒは、前述したパネル型両面発色装置１に設けたものと同様である。また、第１のＬＥＤ光源部３０の各ＬＥＤ３１の位置を図中に点線で示したが、１４０Ｃ側または１４０Ｄ側のどちらかに近い位置にあってもよい。
【００８１】
導光体１４０は、第１のＬＥＤ光源部３０に対向する第１端面１４０ａ、第２のＬＥＤ光源部４０に対向する第２端面１４０ｂ、溝部１４１間に配置された複数の表面１４０ｃ、溝部１４２間に配置された複数の裏面１４０ｄを有している。
【００８２】
第１のＬＥＤ光源部３０及び第２のＬＥＤ光源部４０から入射した光は、表面側に複数設けられた溝部１４１及び裏面側に複数設けられた溝部１４２の光偏向手段Ｒからは直接光が散乱して出光してくるので明るく見えるが、表面１４０ｃ（平滑面）及び裏面１４０ｄ（平滑面）には光偏向手段Ｒが設けられていないことから、表面１４０ｃ（平滑面）及び裏面１４０ｄ（平滑面）は溝部１４１及び１４２と比べて暗く見える。その為、表面側及び裏面側には明暗のストライプを発現できる。また、表面側及び裏面側において、複数の溝部１４１及び１４２が設けられていることから、見る角度によっては、明暗のストライプの幅が異なって観察されるので、立体感のある演出を行うことが可能となる。
【００８３】
図１３は他の導光体の例を示す図である。
【００８４】
図１３（ａ）は導光体１５０の断面図を示し、図１３（ｂ）は導光体１５０と第１のＬＥＤ光源部３０との関係とを示した図である。図１３に示す導光体１５０は、前述した導光体１０の代わりにパネル型両面発色装置１に利用することができる。
【００８５】
図１３に示すように、導光体１５０は、その表面側（矢印Ｃ方向に光を出射する側）に、断面が略コの字状の溝部１５１が複数配置されるようにして構成されている。溝部１５１の第１発色面１５１ａ、第２発光面１５１ｂ及び第３発色面１５１ｃには光偏向手段Ｒが設けられており、図中では、光偏向手段Ｒが設けられた面を斜線で示している。導光体１５０に設けられた光偏向手段Ｒは、前述したパネル型両面発色装置１に設けたものと同様である。また、第１のＬＥＤ光源部３０の各ＬＥＤ３１の位置を図中に点線で示したが、より表面側に近い所にあってもよい。
【００８６】
導光体１５０は、第１のＬＥＤ光源部３０に対向する第１端面１５０ａ、第２のＬＥＤ光源部４０に対向する第２端面１５０ｂ、溝部１５１間に配置された複数の表面１５０ｃ、溝部の無い平面である裏面１５０ｄを有している。
【００８７】
第１のＬＥＤ光源部３０及び第２のＬＥＤ光源部４０から入射した光は、溝部１５１の第１発色面１５１ａ、第２発光面１５１ｂ及び第３発色面１５１ｃの光偏向手段Ｒからは直接光が散乱して出光してくるが、表面１５０ｃ（平滑面）には光偏向手段Ｒが設けられていないことから、表面１５０ｃ（平滑面）は溝部１５１と比べて暗く見える。その為、表面側には明暗のストライプを発現できる。また、表面側において、複数の溝部１５１が設けられていることから、見る角度によっては、明暗のストライプの幅が異なって観察されるので、立体感のある演出を行うことが可能となる。逆に、裏面側（矢印Ｄの方向に光を出射する側）から観測すれば、第１発色面１５１ａ、１５１ｂ及び第２発色面１５１ｃに設けられた光偏向手段Ｒの部分が影となり、他の部分が発光して見える。
【００８８】
このように、導光体１５０では、導光体１５０の表面側（矢印Ｃの方向に光を出射する側）から観測した場合と、裏面側（矢印Ｄの方向に光を出射する側）から観測した場合とで、発光する部分が微妙に異なるので、表面と裏面で違った柄を楽しむことが可能となった。
【００８９】
図１３に示す導光体１５０は、前述した導光体１０の溝部１１のピッチがランダムに配置されるように構成したものである。このように、溝部１１のピッチを適当な間隔で大きくすることは、陰影を比較的大きく表示しやすくなる点で好ましい。なお、図１３では、導光体１０の溝部１１のピッチがランダムに配置されるように構成したが、図８〜図１２に示した導光体１００〜１４０においても、同様にそれぞれの溝部のピッチがランダムに配置されるように構成しても良い。
【００９０】
図１４は、更に他の導光体の例を示す図である。
【００９１】
導光体は、図１４（ａ）に示す様に表面１６０ｃが曲面で裏面１６０ｄが平面であっても良く、図１４（ｂ）に示す様に表面１７０ｃに比較的大きな凹凸があっても良く、図１４（ｃ）に示す様に表面１８０ｃ及び裏面１８０ｄが平行であるが大きくウエーブしていても良く、図１４（ｄ）に示す様に大体は平滑であるが末端が曲がっているように構成されていても良い。
【００９２】
なお、図１４（ａ）〜図１４（ｄ）においては、各溝部１６１、１７１、１８１及び１９１は、全てコの字状としたが、前述したように、溝部はＶ字状（図８参照）、又はＵ字状（図１１参照）であっても良い。また、図１４（ａ）〜図１４（ｄ）においては、表面にのみ溝部１６１、１７１、１８１及び１９１を設けたが、表面及び裏面の両方にコの字状、Ｖ字状又はＵ字状の溝を設けるようにしても良い。さらに、図１４（ａ）〜図１４（ｄ）においては、等間隔で溝部１６１、１７１、１８１及び１９１を設けたが、図１３に示すように、溝部の間隔はランダムであっても良い。
【００９３】
図１５は、本発明に係る面発色装置を壁掛けパネルとして構成したパネル型両面発色装置２の表面側から見た正面図である。本実施形態では、パネル型両面発色装置２を５００×５００ｍｍに設定した。しかしながら、パネル型両面発色装置２のサイズはこれに限定されることなく、様々なサイズに形成することができる。
【００９４】
パネル型両面発色装置２は、導光体２００、枠体２２、第１のＬＥＤ光源部３０、第２のＬＥＤ光源部４０、第３のＬＥＤ光源部５０、第４のＬＥＤ光源部６０等から構成されている。図１５に示すように、第１及び第２のＬＥＤ光源部３０及び４０は、導光体２００を図１５における図中の上下から挟むように配置され、枠体２２内に固定されている。さらに、第３及び第４のＬＥＤ光源部５０及び６０は、導光体２００を図１５における図中の左右から挟むように配置され、枠体２２内に固定されている。第３及び第４のＬＥＤ光源部５０及び６０は、図３に示した第１のＬＥＤ光源部３０と同様であるので、説明を省略する。
【００９５】
なお、導光体２００の表面側及び裏面側に透光性を有する保護プレートを配置しても良い。また、導光体２００の表面及び裏面からの光を制御するために、導光体２００の表面側及び裏面側に、拡散シートやプリズムシートを配置するようにしても良い。さらに、パネル型両面発色装置２は、両面から発光するように構成したが、一方の面側からのみ発光させるように構成しても良い。
【００９６】
図１５は、本発明に係る面発色装置を壁掛けパネルとして構成したパネル型両面発色装置２の表面側から見た正面図である。本実施形態では、パネル型両面発色装置２を５００×５００ｍｍに設定した。しかしながら、パネル型両面発色装置２のサイズはこれに限定されることなく、様々なサイズに形成することができる。
【００９７】
パネル型両面発色装置２は、導光体２００、枠体２２、第１のＬＥＤ光源部３０、第２のＬＥＤ光源部４０、第３のＬＥＤ光源部５０、第４のＬＥＤ光源部６０等から構成されている。図１５に示すように、第１及び第２のＬＥＤ光源部３０及び４０は、導光体２００を図１５における図中の上下から挟むように配置され、枠体２２内に固定されている。さらに、第３及び第４のＬＥＤ光源部５０及び６０は、導光体２００を図１５における図中の左右から挟むように配置され、枠体２２内に固定されている。第３及び第４のＬＥＤ光源部５０及び６０は、図３に示した第１のＬＥＤ光源部３０と同様であるので、説明を省略する。
【００９８】
なお、導光体２００の表面側及び裏面側に透光性を有する保護プレートを配置しても良い。また、導光体２００の表面及び裏面からの光を制御するために、導光体２００の表面側及び裏面側に、拡散シートやプリズムシートを配置するようにしても良い。さらに、パネル型両面発色装置２は、両面から発光するように構成したが、一方の面側からのみ発光させるように構成しても良い。
【００９９】
図１６は導光体２００の例を示す図である。
【０１００】
図１６（ａ）は導光体２００の断面図を示し、図１６（ｂ）は導光体２００と、第１のＬＥＤ光源部３０及び第４のＬＥＤ光源部６０との関係とを示した図である。
【０１０１】
図１６に示すように、導光体２００は、その表面側（矢印Ｃの方向に光を出射する側）に、断面が略コの字状の溝部２０１が複数配置されるようにして構成されている。また、導光体２００は、その裏面側（矢印Ｄの方向に光を出射する側）にも、断面が略コの字状の溝部２０２が複数配置されるようにして構成されている。さらに、溝部２０１と溝部２０２は、互いが角度をもって（略９０°）重なり合うように配置されている。なお、溝部２０１と溝部２０２とが重なり合った角度は、本実施例に限定されず、例えば竹細工やザルのような網目のイメージを表現する場合は３０〜１５０°（９０±６０°）が好ましく、６０〜１２０°（９０±３０°）がさらに好ましい。例えば、畳やゴザのような網目のイメージを表現する場合は重なり合った角度は凡そ１０°又は１７０°に配置することがより効果的である。また、第１のＬＥＤ光源部３０の各ＬＥＤ３１の位置を図中に点線で示した。
【０１０２】
溝部２０１の第１発色面２０１ａ、第２発色面２０１ｂ及び第３発色面２０１ｃには光偏向手段Ｒが設けられている。また、溝部２０２の第１発色面２０２ａ、第２発色面２０２ｂ及び第３発色面２０２ｃにも光偏向手段Ｒが設けられている。なお、図中では、光偏向手段Ｒが設けられた面を斜線で示している。導光体２００に設けられた光偏向手段Ｒは、前述したパネル型両面発色装置１に設けたものと同様である。
【０１０３】
導光体２００は、第１のＬＥＤ光源部３０に対向する第１端面２００ａ、第２のＬＥＤ光源部４０に対向する第２端面２００ｂ、第３のＬＥＤ光源部５０に対向する第３端面２００ｃ、第４のＬＥＤ光源部６０に対向する第２端面２００ｄ、溝部２０１間に配置された複数の表面２００ｅ、溝部２０２間に配置された複数の裏面２００ｆを有している。
【０１０４】
第１のＬＥＤ光源部３０〜第４のＬＥＤ光源部６０から入射した光は、表面側に複数設けられた溝部２０１及び裏面側に複数設けられた溝部２０２の光偏向手段Ｒからは直接光が散乱して出光してくるので明るく見えるが、表面２００ｅ（平滑面）及び裏面２００ｆ（平滑面）には光偏向手段Ｒが設けられていないことから、表面２００ｅ（平滑面）及び裏面２００ｆ（平滑面）は溝部２０１及び２０２と比べて暗く見える。さらに、溝部２０１及び２０２は互いに角度をもって（略９０°）重なり合うように配置されている。その為、表面側及び裏面側には明暗の格子柄を発現できる。また、表面側及び裏面側において、複数の溝部２０１及び２０２が設けられていることから、見る角度によっては、明暗のストライプの幅が異なって観察されるので、立体感のある演出を行うことが可能となる。
【０１０５】
図１７は他の導光体の例を示す図である。
【０１０６】
図１７（ａ）は導光体２１０の断面図を示し、図１７（ｂ）は導光体２１０と、第１のＬＥＤ光源部３０及び第４のＬＥＤ光源６０との関係とを示した図である。図１７に示す導光体２１０は、前述した導光体２００の代わりにパネル型両面発色装置２に利用することができる。
【０１０７】
図１７に示すように、導光体２１０は、その表面側（矢印Ｃの方向に光を出射する側）に、断面がＶ字状の溝部２１１が複数配置されるようにして構成されている。また、導光体２１０は、その裏面側（矢印Ｄの方向に光を出射する側）にも、断面がＶ字状の溝部２１２が複数配置されるようにして構成されている。さらに、溝部２１１と溝部２１２は、互いが角度をもって（略９０°）重なり合うように配置されている。なお、第１のＬＥＤ光源部３０の各ＬＥＤ３１の位置を図中に点線で示した。
【０１０８】
溝部２１１の第１発色面２１１ａ及び第２発色面２１１ｂには光偏向手段Ｒが設けられている。また、溝部２１２の第１発色面２１２ａ及び第２発色面２１２ｂにも光偏向手段Ｒが設けられている。なお、図中では、光偏向手段Ｒが設けられた面を斜線で示している。導光体２１０に設けられた光偏向手段Ｒは、前述したパネル型両面発色装置１に設けたものと同様である。
【０１０９】
導光体２１０は、第１のＬＥＤ光源部３０に対向する第１端面２１０ａ、第２のＬＥＤ光源部４０に対向する第２端面２１０ｂ、第３のＬＥＤ光源部５０に対向する第３端面２１０ｃ、第４のＬＥＤ光源部６０に対向する第２端面２１０ｄ、溝部２１１間に配置された複数の表面２１０ｅ、溝部２１２間に配置された複数の裏面２１０ｆを有している。
【０１１０】
第１のＬＥＤ光源部３０〜第４のＬＥＤ光源部６０から入射した光は、表面側に複数設けられた溝部２１１及び裏面側に複数設けられた溝部２１２の光偏向手段Ｒからは直接光が散乱して出光してくるので明るく見えるが、表面２１０ｅ（平滑面）及び裏面２１０ｆ（平滑面）には光偏向手段Ｒが設けられていないことから、表面２１０ｅ（平滑面）及び裏面２１０ｆ（平滑面）は溝部２１１及び２１２と比べて暗く見える。さらに、溝部２１１及び２１２は互いに角度をもって（略９０°）重なり合うように配置されている。その為、表面側及び裏面側には明暗の格子柄を発現できる。また、表面側及び裏面側において、複数の溝部２１１及び２１２が設けられていることから、見る角度によっては、明暗のストライプの幅が異なって観察されるので、立体感のある演出を行うことが可能となる。
【０１１１】
図１８は更に他の導光体の例を示す図である。
【０１１２】
図１８（ａ）は導光体２２０の断面図を示し、図１８（ｂ）は導光体２２０と、第１のＬＥＤ光源部３０及び第４のＬＥＤ光源６０との関係とを示した図である。図１８に示す導光体２２０は、前述した導光体２００の代わりにパネル型両面発色装置２に利用することができる。
【０１１３】
図１８に示すように、導光体２２０は、その表面側（矢印Ｃの方向に光を出射する側）に、断面がＵ字状の溝部２２１が複数配置されるようにして構成されている。また、導光体２２０は、その裏面側（矢印Ｄの方向に光を出射する側）にも、断面がＵ字状の溝部２２２が複数配置されるようにして構成されている。さらに、溝部２２１と溝部２２２は、互いが角度をもって（略９０°）重なり合うように配置されている。なお、第１のＬＥＤ光源部３０の各ＬＥＤ３１の位置を図中に点線で示した。
【０１１４】
溝部２２１の曲面２２１ａには光偏向手段Ｒが設けられている。また、溝部２２２の曲面２２２ａにも光偏向手段Ｒが設けられている。なお、図中では、光偏向手段Ｒが設けられた面を斜線で示している。導光体２２０に設けられた光偏向手段Ｒは、前述したパネル型両面発色装置１に設けたものと同様である。
【０１１５】
導光体２２０は、第１のＬＥＤ光源部３０に対向する第１端面２２０ａ、第２のＬＥＤ光源部４０に対向する第２端面２２０ｂ、第３のＬＥＤ光源部５０に対向する第３端面２２０ｃ、第４のＬＥＤ光源部６０に対向する第２端面２２０ｄ、溝部２２１間に配置された複数の表面２２０ｅ、溝部２２２間に配置された複数の裏面２２０ｆを有している。
【０１１６】
第１のＬＥＤ光源部３０〜第４のＬＥＤ光源部６０から入射した光は、表面側に複数設けられた溝部２２１及び裏面側に複数設けられた溝部２２２の光偏向手段Ｒからは直接光が散乱して出光してくるので明るく見えるが、表面２２０ｅ（平滑面）及び裏面２２０ｆ（平滑面）には光偏向手段Ｒが設けられていないことから、表面２２０ｅ（平滑面）及び裏面２２０ｆ（平滑面）は溝部２２１及び２２２と比べて暗く見える。さらに、溝部２２１及び２２２は互いに角度をもって（略９０°）重なり合うように配置されている。その為、表面側及び裏面側には明暗の格子柄を発現できる。また、表面側及び裏面側において、複数の溝部２２１及び２２２が設けられていることから、見る角度によっては、明暗のストライプの幅が異なって観察されるので、立体感のある演出を行うことが可能となる。
【０１１７】
以上、本発明に係る両面発色装置を、壁掛けパネル型に構成したものを用いて説明を行ったが、本発明に係る両面発色装置は軽量且つ簡易な構成である利点を生かし、パネル型以外の多くの屋内、屋外用の照明器具、建材等として利用することができる。
【０１１８】
本発明に係る両面発色装置を用いると、ＬＥＤごとに異なった色で発色させることにより、ストライプ状の面発色を行うことができるため、等間隔で成り立つ色空間というストライプによって秩序のある、見る方向によりストライプ幅に変化が持たせることができる、または単純幾何学的関係によって選ばれた色は調和するという「秩序の原理」を満たすことができる。さらに、「近親性の原理」に沿うように通常見慣れた自然界の色とその変化を表すように各導光体をストライプ状の配色で発色させて面発色させることにより、人の情緒への心地よさの働きかけをより顕著なものにすることができる。
【図面の簡単な説明】
【０１１９】
【図１】本発明に係るパネル型両面発色装置の発色面側から見た正面図である。
【図２】図１に示すＡＡ´断面図である。
【図３】ＬＥＤ光源部の概略構成を示す図である。
【図４】導光体の一例を示す図である。
【図５】導光体と光源部との関係を示す斜視図である。
【図６】図１におけるＢＢ´断面図である。
【図７】導光体の発色を説明するための図である。
【図８】他の導光体の例を示す図である。
【図９】更に他の導光体の例を示す図である。
【図１０】更に他の導光体の例を示す図である。
【図１１】更に他の導光体の例を示す図である。
【図１２】更に他の導光体の例を示す図である。
【図１３】更に他の導光体の例を示す図である。
【図１４】更に他の導光体の例を示す図である。
【図１５】本発明に係る他のパネル型両面発色装置の発色面側から見た正面図である。
【図１６】導光体の一例を示す図である。
【図１７】他の導光体の例を示す図である。
【図１８】更に他の導光体の例を示す図である。
【符号の説明】
【０１２０】
１、２    壁掛けパネル型面発色装置
１０、１００、１１０、１２０、１３０、１４０、１５０、１６０、１７０、１８０、１９０、２００、２１０、２２０    導光体
１１、１０１、１１１、１２１、１２２、１３１、１３２、１４１、１４２、１５１、１６１、１７１、１８１、１９１、２０１、２０２、２１１、２１２、２２１、２２２    溝部
２０、２２    枠体
３０    第１のＬＥＤ光源部
４０    第２のＬＥＤ光源部
５０    第３のＬＥＤ光源部
６０    第４のＬＥＤ光源部
Ｒ    光偏向手段
【図１】
2009048939.tif 000003
【図２】
2009048939.tif 000004
【図３】
2009048939.tif 000005
【図４】
2009048939.tif 000006
【図５】
2009048939.tif 000007
【図６】
2009048939.tif 000008
【図７】
2009048939.tif 000009
【図８】
2009048939.tif 000010
【図９】
2009048939.tif 000011
【図１０】
2009048939.tif 000012
【図１１】
2009048939.tif 000013
【図１２】
2009048939.tif 000014
【図１３】
2009048939.tif 000015
【図１４】
2009048939.tif 000016
【図１５】
2009048939.tif 000017
【図１６】
2009048939.tif 000018
【図１７】
2009048939.tif 000019
【図１８】
2009048939.tif 000020